(57)【要約】【課題】  撮影者の意思とは異なる構図の画像の撮影を容易に回避することができる撮像装置及び撮像方法を提供する。【解決手段】  撮影画角内の複数の測距点での被写体距離を計測した後（ステップＳ２０２）、各測距点での測距結果に基づいて、前記撮影画角内での被写体の位置の偏りを検出し（ステップＳ２０３）、各測距点での測距結果に基づいて、焦点の調整を行う（ステップＳ２０５）。更に、前記被写体の位置の偏りに関する情報を出力する（ステップＳ２０４）。【選択図】  図３
2006184789.tif 000002
【特許請求の範囲】
【請求項１】
第１のモードを含む複数種類の撮影モードのうちからの選択が可能である撮像装置において、
撮影画角内の複数位置での被写体距離を計測する多点測距手段と、
前記多点測距手段による各位置での測距結果に基づいて、前記撮影画角内での被写体の位置を検出する被写体検出手段と、
前記多点測距手段による各位置での測距結果に基づいて、焦点の調整を行う焦点調整手段と、
前記第１のモードが選択された際には、前記被写体検出手段によって得られた前記撮影画角内における前記被写体の位置に関する情報を出力する出力手段と、
を有することを特徴とする撮像装置。
【請求項２】
前記被写体検出手段は、前記多点測距手段により計測された各測距点での被写体距離が、所定の測距範囲内にあるか否かに応じて前記被写体の位置の偏りを検出することを特徴とする請求項１に記載の撮像装置。
【請求項３】
撮影モードの種類を検出するモード検出手段と、
前記モード検出手段により前記第１のモードであることが検出された場合に、前記所定の測距範囲を設定する測距範囲設定手段と、
を有することを特徴とする請求項２に記載の撮像装置。
【請求項４】
外部から前記撮影モードの選択を行わせるモード選択手段と、
前記第１のモードでの撮影の際に撮影画角内に位置する被写体を映す自分撮りミラーと、
を有することを特徴とする請求項３に記載の撮像装置。
【請求項５】
前記第１のモードが選択され、且つ撮影準備動作が継続している間、定期的に前記被写体検出手段による検出及び出力手段による情報の通知を実行することを特徴とする請求項３又は４に記載の撮像装置。
【請求項６】
前記多点測距手段は、撮像素子上で結ばれた像のコントラストが最も強くなる状態を検知して合焦するコントラスト検出方式の測距手段であることを特徴とする請求項１乃至５のいずれか１項に記載の撮像装置。
【請求項７】
前記出力手段は、撮影者に対して前記情報を通知することを特徴とする請求項１乃至６のいずれか１項に記載の撮像装置。
【請求項８】
第１のモードを含む複数種類の撮影モードのうちからの選択が可能である撮像装置を用いた撮像方法において、
撮影画角内の複数位置での被写体距離を計測する多点測距ステップと、
前記多点測距ステップにおける各位置での測距結果に基づいて、前記撮影画角内での被写体の位置を検出する被写体検出ステップと、
前記多点測距ステップにおける各位置での測距結果に基づいて、焦点の調整を行う焦点調整ステップと、
前記第１のモードが選択された際には、前記被写体検出ステップにおいて得られた前記撮影画角内における前記被写体の位置に関する情報を出力する出力ステップと、
を有することを特徴とする撮像方法。
【請求項９】
第１のモードを含む複数種類の撮影モードのうちからの選択が可能である撮像装置に設けられたコンピュータに、
撮影画角内の複数位置での被写体距離を計測する多点測距手順と、
前記多点測距手順における各位置での測距結果に基づいて、前記撮影画角内での被写体の位置を検出する被写体検出手順と、
前記多点測距手順における各位置での測距結果に基づいて、焦点の調整を行う焦点調整手順と、
前記第１のモードが選択された際には、前記被写体検出手順において得られた前記撮影画角内における前記被写体の位置に関する情報を出力する出力手順と、
を実行させることを特徴とするプログラム。
【発明の詳細な説明】
【技術分野】
【０００１】
本発明は、撮影者自身のポートレートを撮影する自分撮りカメラに好適な撮像装置及び撮像方法に関する。
【背景技術】
【０００２】
三脚等のカメラ支持装置を用いることなく、カメラを撮影者自身の手で支えながら、撮影者自身を撮影する「自分撮りカメラ」が知られている。このようなカメラでは、画角調整、ピント調整等、カメラの撮影条件を合わせるために様々な工夫がなされている。
【０００３】
特に、画角調整に関し、撮影者自身がカメラを持ちながら撮影するため、適切な構図で撮影することが困難であるため、撮影者自身がカメラを持って自分自身を撮影しようとしたときに、画角を決める手がかがりとなるように、カメラのレンズ側に撮影者を映し出すためのミラーを備えたものが開発されている。例えば、特開２００２−４９０８０号公報には、被写体の像を反射させるための反射部材がレンズ保護蓋と一体となり、必要に応じてカメラ内部に格納可能なミラーを備えたカメラが開示されている。このようなミラーは自分撮りミラーと呼ばれており、撮影者は、自分を撮影する際に、このミラーに映った像を見ることにより、画角を確認して撮影を実行することが可能である。
【０００４】
【特許文献１】特開２００２−４９０８０号公報
【発明の開示】
【発明が解決しようとする課題】
【０００５】
従来の自分撮りミラーを備えたカメラの多くは、単焦点レンズを用いている。これは、画角が変化しないため、自分撮りミラーに映った像の画角と、実際に撮影された際の画角とをほぼ一致させることができるためである。
【０００６】
しかしながら、単焦点レンズの場合であっても、撮影レンズの光軸上に自分撮りミラーを配置することは困難であるため、多くの場合は撮影レンズの光軸からずれた位置に自分撮りミラーが配置されている。この結果、その代償としてパララックスが生じ、自分撮りミラーによって撮影者自身が映っていることを確認したとしても、適切な構図で撮影されない場合がある。
【０００７】
更に、近時、焦点距離を変化させることのできるズームレンズを備えたカメラも開発されている。ズームレンズつきのカメラの場合には、撮影時に実際に映る範囲と自分撮りミラーに移った範囲とが一致しないことがある。この結果、例えば、焦点距離がテレ側になっていた場合、自分撮りミラーに撮影者自身が映っていたとしても、撮影画角からは外れてしまい、撮影者の意思に反して不適切な構図の画像が撮影されてしまう場合がある。
【０００８】
また、最近のカメラには自動的にピントを調整するオートフォーカス機構を備えたものが多いが、通常の撮影モードでの撮影の場合のように、近距離から遠距離までの広い範囲を合焦可能範囲として自分撮りを行う場合には、合焦まで時間がかかるため、片手でカメラを保持しつつ撮影する自分撮りカメラにおいては測距中に手ぶれが発生し、正しく測距できない場合もある。
【０００９】
本発明は、以上の点に鑑みてなされたものであり、撮影者の意思とは異なる構図の画像の撮影を容易に回避することができる撮像装置及び撮像方法を提供することを目的とする。
【課題を解決するための手段】
【００１０】
本願発明者は、前記課題を解決すべく鋭意検討を重ねた結果、以下に示す発明の諸態様に想到した。
【００１１】
本願発明に係る撮像装置は、第１のモードを含む複数種類の撮影モードのうちからの選択が可能である撮像装置において、撮影画角内の複数位置での被写体距離を計測する多点測距手段と、前記多点測距手段による各位置での測距結果に基づいて、前記撮影画角内での被写体の位置を検出する被写体検出手段と、前記多点測距手段による各位置での測距結果に基づいて、焦点の調整を行う焦点調整手段と、前記第１のモードが選択された際には、前記被写体検出手段によって得られた前記撮影画角内における前記被写体の位置に関する情報を出力する出力手段と、を有することを特徴とする。
【００１２】
本願発明に係る撮像方法は、第１のモードを含む複数種類の撮影モードのうちからの選択が可能である撮像装置を用いた撮像方法において、撮影画角内の複数位置での被写体距離を計測する多点測距ステップと、前記多点測距ステップにおける各位置での測距結果に基づいて、前記撮影画角内での被写体の位置を検出する被写体検出ステップと、前記多点測距ステップにおける各位置での測距結果に基づいて、焦点の調整を行う焦点調整ステップと、前記第１のモードが選択された際には、前記被写体検出ステップにおいて得られた前記撮影画角内における前記被写体の位置に関する情報を出力する出力ステップと、を有することを特徴とする。なお、焦点の調整及び情報の出力は、いずれを先に行ってもよい。
【００１３】
本願発明に係るプログラムは、第１のモードを含む複数種類の撮影モードのうちからの選択が可能である撮像装置に設けられたコンピュータに、撮影画角内の複数位置での被写体距離を計測する多点測距手順と、前記多点測距手順における各位置での測距結果に基づいて、前記撮影画角内での被写体の位置を検出する被写体検出手順と、前記多点測距手順における各位置での測距結果に基づいて、焦点の調整を行う焦点調整手順と、前記第１のモードが選択された際には、前記被写体検出手順において得られた前記撮影画角内における前記被写体の位置に関する情報を出力する出力手順と、を実行させることを特徴とする。なお、焦点の調整及び情報の出力は、いずれを先に実行させてもよい。
【発明の効果】
【００１４】
本発明によれば、撮影画角内での被写体の位置が検出され、また、その結果が出力されるため、撮影者は、撮影実施前に被写体、例えば自分自身の位置の偏りを認識することができる。このため、撮影者の意思に反して不適切な構図の画像が撮影されてしまうことを未然に防ぐことが可能である。また、測距範囲を自分撮りに適した範囲に設定する場合には、測距にかかる時間を短縮することができるため、手ぶれ等の影響により合焦しにくくなるという不具合を抑制することができる。
【発明を実施するための最良の形態】
【００１５】
以下、本発明の実施形態について添付の図面を参照して具体的に説明する。
【００１６】
（第１の実施形態）
先ず、本発明の第１の実施形態について説明する。図１は、本発明の第１の実施形態に係る撮像装置の構成を示すブロック図である。
【００１７】
本実施形態では、例えば撮影レンズ１０がフォーカスレンズ１０ａ及びズームレンズ１０ｂから構成されている。更に、絞り機能を備えるシャッタ１２、光学像を電気信号に変換する撮像素子１４、撮像素子１４から出力されたアナログ信号をディジタル信号に変換するＡ／Ｄ変換器１６が設けられている。また、タイミング発生回路１８が設けられており、このタイミング発生回路１８から、撮像素子１４、Ａ／Ｄ変換器１６及びＤ／Ａ変換器２６にクロック信号や制御信号が供給される。なお、タイミング発生回路１８は、例えばメモリ制御回路２２及びシステム制御回路５０により制御される。
【００１８】
画像処理回路２０は、Ａ／Ｄ変換器１６からのデータ及びメモリ制御回路２２からのデータに対して所定の画素補間処理及び色変換処理等を行う。また、画像処理回路２０は、撮像した画像データを用いて所定の演算処理を行う。そして、得られた演算結果に基づいてシステム制御回路５０が絞りシャッタ駆動部４０及びフォーカスレンズ駆動部４２に対して、ＴＴＬ（スルー・ザ・レンズ）方式のＡＦ（オートフォーカス）処理、ＡＥ（自動露出）処理、ＥＦ（フラッシュプリ発光）処理の制御を行う。更に、画像処理回路２０は、撮像した画像データを用いて所定の演算処理を行い、得られた演算結果に基づいてＴＴＬ方式のＡＷＢ（オートホワイトバランス）処理も行う。
【００１９】
メモリ制御回路２２は、Ａ／Ｄ変換器１６、タイミング発生回路１８、画像処理回路２０、画像表示メモリ２４、Ｄ／Ａ変換器２６、メモリ３０及び圧縮・伸長回路３２を制御する。
【００２０】
Ａ／Ｄ変換器１６のデータが画像処理回路２０及びメモリ制御回路２２を介して、画像表示メモリ２４又はメモリ３０に書き込まれたり、Ａ／Ｄ変換器１６のデータが直接メモリ制御回路２２を介して、画像表示メモリ２４又はメモリ３０に書き込まれたりする。
【００２１】
また、本実施形態には、画像表示メモリ２４、Ｄ／Ａ変換器２６、ＴＦＴ又はＬＣＤ等からなる画像表示部２８が設けられており、画像表示メモリ２４に書き込まれた表示用の画像データは、Ｄ／Ａ変換器２６を介して画像表示部２８により表示される。また、画像表示部２８を用いて撮像した画像データを逐次表示すれば、電子ファインダ機能を実現することも可能である。
【００２２】
また、画像表示部２８は、システム制御回路５０の指示により任意に表示をＯＮ／ＯＦＦすることが可能であり、表示をＯＦＦにした場合には撮像装置１００の電力消費を大幅に低減することができる。
【００２３】
撮影した静止画像や動画像を格納するためのメモリ３０は、所定枚数の静止画像や所定時間の動画像を格納するのに十分な記憶量を備えている。従って、複数枚の静止画像を連続して撮影する連写撮影やパノラマ撮影の場合にも、高速かつ大量の画像書き込みをメモリ３０に対して行うことが可能である。また、メモリ３０はシステム制御回路５０の作業領域として使用することも可能である。
【００２４】
適応離散コサイン変換（ＡＤＣＴ）、ウェーブレット変換等により画像データを圧縮伸長する圧縮・伸長回路３０は、メモリ３０に格納された画像を読み込んで、圧縮処理又は伸長処理を行い、処理を終えたデータをメモリ３０に書き込む。
【００２５】
絞り機能を備えるシャッタ１２を制御する絞りシャッタ駆動部４０は、フラッシュ４８と連携することによりフラッシュ調光機能も具えている。
【００２６】
更に、本実施形態には、フォーカスレンズ１０ａの駆動を制御するフォーカスレンズ駆動部４２、ズームレンズ１０ｂを駆動させるズームレンズ駆動部４４、バリアである保護部１０２の動作を制御するバリア制御部４６が設けられている。また、フラッシュ４８は、ＡＦ補助光の投光機能及びフラッシュ調光機能も具えている。
【００２７】
絞りシャッタ駆動部４０及びフォーカスレンズ駆動部４２は、上述のように、画像処理回路２０による演算の結果に基づいて、システム制御回路５０により制御される。即ち、システム制御回路５０により、絞りシャッタ駆動部４０及びフォーカスレンズ駆動部４２を用いた露出及びピントの制御が行われる。
【００２８】
システム制御回路５０は撮像装置１００全体を制御し、メモリ５２はシステム制御回路５０の動作用の定数、変数、プログラム等を記憶している。
【００２９】
表示部５４には、システム制御回路５０でのプログラムの実行に応じて、文字、画像、音声等を用いて動作状態やメッセージ等を表示する液晶表示装置及びスピーカ等が設けられている。表示部５４は、撮像装置１００の操作部近傍の視認しやすい１又は２以上の箇所に設置されている。表示部５４は、例えばＬＣＤやＬＥＤ、発音素子等の組み合わせにより構成されている。また、表示部５４は、その一部の機能が光学ファインダ１０４内に設置されている。
【００３０】
表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示、外部コンピュータとの接続状態を示す表示等が挙げられる。
【００３１】
また、表示部５４の表示内容のうち、光学ファインダ１０４内に表示するものとしては、例えば、合焦表示、撮影準備完了表示、手振れ警告表示、フラッシュ充電表示、フラッシュ充電完了表示、シャッタスピード表示、絞り値表示、露出補正表示、記録媒体書き込み動作表示等が挙げられる。
【００３２】
更に、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示等が挙げられる。
【００３３】
そして、表示部５４の表示内容のうち、ランプ等に表示するものとしては、例えば、セルフタイマー通知ランプ等が挙げられる。このセルフタイマー通知ランプは、ＡＦ補助光と共用して用いてもよい。
【００３４】
不揮発性メモリ５６は電気的に消去・記録可能なメモリであり、例えばＥＥＰＲＯＭ、フラッシュメモリ等が用いられる。
【００３５】
メインスイッチ６０、シャッタスイッチ６２及び６４、操作部７０並びにモードダイアル７２は、システム制御回路５０の各種の動作指示を入力するための操作部を構成しており、スイッチ、ダイアル、タッチパネル、視線検知によるポインティング、音声認識装置等の単数又は複数の組み合わせで構成されている。
【００３６】
ここで、これらの操作部について具体的に説明する。メインスイッチ（電源スイッチ）６０は、撮像装置１００の電源オン、電源オフの各モードを切り替え設定することができるように構成され、また、撮像装置１００に接続された各種付属装置の電源オン、電源オフの設定も合わせて切り替え設定することができるように構成されている。
【００３７】
第１のシャッタスイッチ（ＳＷ１）６２は、不図示のシャッタボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。また、第２のシャッタスイッチ（ＳＷ２）６４は、上記シャッタボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００に画像データを書き込む記録処理という一連の処理の動作開始を指示する。
【００３８】
操作部７０は各種ボタンやタッチパネル等から構成されている。この操作部７０には、例えば、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、画像表示ＯＮ／ＯＦＦボタン、圧縮モードスイッチ、撮影直後に撮影した画像データを画像表示部２８を用いて自動再生表示するクイックレビュー機能を設定するクイックレビュースイッチ、撮影、再生及び／又は通信を実行する際に各種機能の選択及び切り替えを設定する選択／切り替えスイッチ、撮影及び或いは再生及び或いは通信を実行する際に各種機能の決定及び実行を設定する決定／実行スイッチ等が含まれている。なお、圧縮モードスイッチは、ＪＰＥＧ（Joint Photographic Expert Group）圧縮の圧縮率を選択するか、又は撮像素子の信号をそのままディジタル化して記録媒体に記録するＣＣＤＲＡＷモードを選択するためのスイッチである。ＪＰＥＧ圧縮のモードとしては、例えばノーマルモード及びファインモードが用意されている。撮像装置１００の使用者は、撮影した画像のデータサイズを重視する場合はノーマルモードを、撮影した画像の画質を重視する場合はファインモードを、それぞれ選択して撮影を行うことができる。
【００３９】
ＪＰＥＧ圧縮のモードにおいては、撮像素子１４から読み出されてＡ／Ｄ変換器１６、画像処理回路２０、メモリ制御回路２２を介して、メモリ３０に書き込まれた画像データを読み出し、圧縮・伸長回路３２により設定した圧縮率に圧縮し、記録媒体２００に記録を行う。
【００４０】
一方、ＣＣＤＲＡＷモードでは、撮像素子１４の色フィルタの画素配列に応じて、ライン毎にそのまま画像データを読み出して、Ａ／Ｄ変換器１６、メモリ制御回路２２を介して、メモリ３０に書き込まれた画像データを読み出し、記録媒体２００に記録を行う。
【００４１】
モードダイアルスイッチ７２は、自動撮影モード、撮影モード、パノラマ撮影モード、再生モード、マルチ画面再生・消去モード、ＰＣ接続モード等の各機能モードを切り替え設定することができるように構成されている。
【００４２】
なお、本実施形態においては、特に、撮影モード、再生モード、プリントサービスモードを撮像装置１００が具えるものとする。
【００４３】
電源制御部８０は、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４４】
また、本実施形態には、コネクタ８２が設けられており、このコネクタ８２に、アルカリ電池やリチウム電池等の一次電池やＮｉＣｄ電池やＮｉＭＨ電池、Ｌｉ−ｉｏｎ電池等の二次電池、ＡＣアダプター等からなる電源部８６がコネクタ８４を介して接続されている。
【００４５】
更に、メモリカードやハードディスク等の記録媒体とのインタフェース９０が設けられており、このインタフェース９０に、メモリカードやハードディスク等の記録媒体と接続を行うコネクタ９２が接続されている。
【００４６】
保護部１０２は、撮像装置１００のレンズ１０を含む撮像部を覆うことにより、撮像部の汚れや破損を防止するバリアとして機能する。
【００４７】
また、光学ファインダ１０４が設けられており、画像表示部２８による電子ファインダ機能を使用することなしに、光学ファインダ１０４のみを用いて撮影を行うことも可能である。また、光学ファインダ１０４内には、表示部５４の一部の機能、例えば、合焦表示、手振れ警告表示、フラッシュ充電表示、シャッタスピード表示、絞り値表示、露出補正表示等が設けられている。
【００４８】
更に、通信部１１０に、他の機器と接続する際に使用されるコネクタ１１２が接続されている。通信部１１０による通信の規格としては、ＲＳ２３２ＣやＵＳＢ（Universal Serial Bus）、ＩＥＥＥ（Institute of Electrical and Electronics Engineers）１３９４等の有線通信規格が挙げられる。
【００４９】
コネクタ９２には、コネクタ２０６を備えた、メモリカードやハードディスク等の記録媒体２００が接続される。記録媒体２００には、コネクタ２０６の他に、半導体メモリや磁気ディスク等から構成された記録部２０２、撮像装置１００とのインタフェース２０４が設けられている。
【００５０】
次に、上記のように構成された第１の実施形態に係る撮像装置の動作について図１〜図７を参照しながら詳細に説明する。図２は、第１の実施形態に係る撮像装置の基本的な動作を示すフローチャートである。図３は、第１の実施形態に係る撮像装置の自分撮り用焦点調整処理の動作を示すフローチャートである。図４は、第１の実施形態に係る撮像装置の被写体位置判定処理の動作を示すフローチャートである。図５は、第１の実施形態に係る撮像装置の測距点及び測距範囲を示す説明図である。図６は、第１の実施形態に係る撮像装置の測距点判定パターンを示す説明図である。図７は、第１の実施形態に係る撮像装置の撮影者へのＡＦ補助光による通知パターン（発光タイミング）を示すタイミングチャートである。
【００５１】
＜撮像装置の基本的な動作＞
撮像装置１００のシャッタスイッチ（ＳＷ１）６２をＯＮにすることで、図２に示す撮影処理シーケンスが実行される。先ず、ステップＳ１００において焦点調整前の露出調整を行い、その処理の完了の後、ステップＳ１１２において現在の撮影モードが自分撮りモードであるか否かを判断する。この自分撮りモードが撮像装置１００に設定されるタイミングはシャッタスイッチ（ＳＷ１）６２がＯＮにされる前であり、事前に撮影者により図１のモードダイアルスイッチ７２を自分撮りモードに切り替えることにより実現されるものとする。
【００５２】
ステップＳ１１２において撮影モードが自分撮りモードである場合は、ステップＳ１１１に移行し、自分撮り用焦点調整処理を実施する。その詳細については後述する。一方、撮影モードが自分撮りモードでない場合は、ステップＳ１０１において焦点調整処理を実施する。
【００５３】
焦点調整処理が完了した後、ステップＳ１０２において本露光用露出調整を行い、撮影に適した露出となるように調整を行う。本露光用露出調整が完了した後、ステップＳ１０３においてシャッタスイッチ（ＳＷ２）６４のＯＮ／ＯＦＦ状態を検知する。ここで、シャッタスイッチ（ＳＷ２）６４がＯＦＦであれば、ステップＳ１０４に移行し、シャッタスイッチ（ＳＷ１）６２の状態を検知し、ＯＮであれば、ステップＳ１０３に戻り、シャッタスイッチ（ＳＷ２）６４の状態を再度検知する。また、ステップＳ１０４においてシャッタスイッチ（ＳＷ１）６２がＯＦＦであばれ、撮影処理を終了する。従って、シャッタスイッチ（ＳＷ１）６２がＯＮで、且つシャッタスイッチ（ＳＷ２）６４がＯＮであるという条件が成立しない限り、以降の撮影動作は行われない。
【００５４】
ステップＳ１０３においてシャッタスイッチ（ＳＷ２）６４がＯＮであれば、ステップＳ１０５において撮像素子１４への露光を行う。ステップＳ１０６では、撮像素子１４に蓄積されたデータを読み出す。ステップＳ１０７では、撮像素子１４から読み出したアナログ信号をＡ／Ｄ変換器１６を使ってディジタル信号に変換する。ステップＳ１０８では、画像処理回路２０を使って各種画像処理を行う。ステップＳ１０９では、ステップＳ１０８で処理した画像をＪＰＥＧ（Joint Photographic Expert Group：カラー静止画像圧縮方式）等のフォーマットに従って圧縮する。ステップＳ１１０では、ステップＳ１０９で圧縮したデータを、記録媒体インタフェース９０を介して撮像装置１００に装着されたメモリカード等の記録媒体２００へ転送する。
【００５５】
＜自分撮り用焦点調整処理＞
ステップＳ１１１の自分撮り用焦点調整の各種判定処理は、主にシステム制御回路５０によって実施される。また、システム制御回路５０によって出力された各種判定結果、演算結果はメモリ５２に記憶され、必要に応じて読み出されながら所望の処理が実行される。
【００５６】
自分撮り用焦点調整（ステップＳ１１１）では、図３に示すように、先ず、ステップＳ２００において多点測距設定を行い、自分撮りモードの場合は常に多点測距を行うようにする撮像装置内の設定を更新する。次に、ステップＳ２０１において測距対象とする範囲を計算して設定する。本実施形態では、ＴＴＬコントラスト検出方式の測距を行うこととする。具体的には、フォーカスレンズ１０ａを所定の条件で動かしながら撮像素子１４から得られる輝度信号の高域成分（以下、評価値と称す）を取得し、各レンズ位置での評価値を対応付けてサンプリングする。そして、評価値が最大になるレンズ位置を合焦位置とし、それをカムテーブルに従ってパルス−距離変換を実施することで、被写体の距離を計測する。測距範囲の設定は、評価値をサンプリングする際のフォーカスレンズ１０ａを動かす範囲を所望の範囲とすることで、ステップＳ２０１の測距範囲設定を実現することが可能である。本実施形態では、この測距範囲を自分撮りに最適な範囲とし、例えば約３０ｃｍ〜１００ｃｍとする。これは、撮影者が片手でカメラを保持して撮影者自身を撮影する際に、撮影者自身を測距対象とすることができる範囲だからである。
【００５７】
次に、ステップＳ２０２において、ステップＳ２００及びＳ２０１で設定した条件に基づいて測距を実施する。上述のような条件で測距を行った場合、図５（ｂ）に示すように、撮影画角内の複数の測距点における被写体距離を測定すると、主被写体である撮影者が存在する部分の被写体距離はステップＳ２０１で設定した測距範囲内に収まり、逆に背景等の部分の被写体距離は測距範囲から外れる。この特徴を用いて、ステップＳ２０３では各測距点の測距結果が測距範囲内に収まるか否かを判断し、その情報に基づいて撮影画像内の主被写体の偏りを検出する。なお、この検出方法の詳細については後述する。
【００５８】
ステップＳ２０４では、ステップＳ２０３での判定結果に基づいて、撮影画像での主被写体の偏りを撮影者に通知する。例えば、ステップＳ２０３では、図６（ａ）乃至（ｄ）に示すような、「正常」、「右側抜け（左側に偏り）」、「左側抜け（右側に偏り）」及び「上部抜け（下方に偏り）」の他、「画角ＮＧ（撮影画像に対して被写体が寄りすぎ）」を判別することができ、ステップＳ２０４において、その結果を通知する。本実施形態では、表示部５４のＡＦ補助光を用いてこの通知を行う。また、この通知は、図７（ａ）乃至（ｅ）に示すように、ステップＳ２０３での判定結果に応じて定義したパターンでＡＦ補助光を発光させる。
【００５９】
その後、ステップＳ２０５において、ステップＳ２０１で設定した範囲内で合焦位置が特定できた最至近のレンズ位置を合焦位置とし、そこにフォーカスレンズ１０ａを駆動する。
【００６０】
＜被写体位置判定処理＞
被写体位置判定（ステップＳ２０３）では、図４に示すように、先ず、ステップＳ３００において、ステップＳ２０２で得られた各測距点の測距結果がステップＳ２０１で設定した測距範囲内にあるか否かを判定する。ステップＳ３００において判定対象としている測距点の測距結果が測距範囲内である場合は、ステップＳ３０１において、判定対象とした測距点の結果を“○”として記憶する。一方、ステップＳ３００において測距結果が測距範囲外である場合は、ステップＳ３０２において判定対象とした測距点の結果を“×”として記憶する。
【００６１】
次に、ステップＳ３０３において、すべての測距点の判定が完了したか否かを判断し、完了していない場合は残りの測距点の判定を実施するためステップＳ３００に戻る。一方、すべての測距点の判定が完了した場合は、ステップＳ３０４以降のパターン判別処理を実施する。
【００６２】
ステップＳ３０４では、ステップＳ３００〜Ｓ３０３で完了した各測距点の判定結果より、図６（ａ）に示す正常な構図パターンに一致するか否かを判断する。そして、正常な構図と判断した場合は、ステップＳ３０５において正常な構図であることを記憶する。
【００６３】
一方、正常な構図ではないと判断した場合は、ステップＳ３０６に移行し、右側への偏り（左側の抜け）が発生しているか否かを判定する。その際に基準とするパターンは、図６（ｄ）に示すパターンである。そして、左側の抜けが発生している場合には、ステップＳ３０７において左側の抜けを記憶する。
【００６４】
ステップＳ３０６において左側の抜けが発生していない場合、ステップＳ３０８において左側への偏り（右側の抜け）が発生しているか否かを判定する。その際に基準とするパターンは、図６（ｂ）に示すパターンである。そして、右側の抜けが発生している場合には、ステップＳ３０９において右側の抜けを記憶する。
【００６５】
ステップＳ３０８において右側の抜けが発生していない場合、ステップＳ３１０において下側への偏り（上部の抜け）が発生しているか否かを判定する。その際に基準とするパターンは、図６（ｃ）に示すパターンである。そして、上部の抜けが発生している場合には、ステップＳ３１１において上部の抜けを記憶する。
【００６６】
また、ステップＳ３１０においても、所定のパターンに一致しない場合は、ズームレンズがテレ側にあり、撮影画像いっぱいに撮影者が写りこんでいると判断できる。このため、この場合は、ステップＳ３１２において画角ＮＧの判定結果を記憶する。
【００６７】
このような処理を実行することにより、測距範囲を自分撮りに適した範囲での多点測距の結果を用いて、撮影画像内の被写体の偏りを検出することができる。
【００６８】
このように、本発明の第１の実施形態に係る撮像装置によれば、自分撮りモードにおいて、自分撮りミラーによる大まかな画角調整に加えて、自分撮りに適した範囲による多点測距の結果を用いて主被写体である撮影者の撮影画角内での偏りが特定され、撮影者に対する通知がなされる。これにより、例えば、光軸からずれた位置に自分撮りミラーがあるために発生するパララックスによる自分撮りミラーに映った像と実際に撮影される画像との差や、ズームレンズのような焦点距離可変のレンズが用いられている場合に生じる自分撮りミラーに写った像と実際に撮影される画像との差に関して、撮影前に事前に適切な構図であるかが実際の撮影画像から特定され、撮影者はその通知を受けることが可能となる。この結果、撮影者の意思に反して不適切な構図の画像が撮影されてしまうことを未然に防ぐことが可能である。
【００６９】
更に、自分撮りモードであることを検出した場合に、測距範囲を自分撮りに適した範囲に設定することが可能であるため、測距にかかる時間を短縮し、手ぶれ等の影響により合焦しにくくなる問題を解消することも可能である。
【００７０】
（第２の実施形態）
次に、本発明の第２の実施形態について説明する。第２の実施形態は、撮像装置１００における撮像準備動作が継続している場合、即ち、シャッタスイッチ（ＳＷ１）６２がＯＮとなり、且つシャッタスイッチ（ＳＷ２）６４がＯＮとなっていない状態である場合に、自分撮り用焦点調整処理を定期的に実行する点で、第１の実施形態と相違している。ここでは、この点について説明する。図８は、本発明の第２の実施形態に係る撮像装置の基本的な動作を示すフローチャートである。
【００７１】
第２の実施形態では、撮像装置１００のシャッタスイッチ（ＳＷ１）６２をＯＮにすることで、図８に示す撮影処理シーケンスが実行される。先ず、ステップＳ４００において焦点調整前の露出調整を行い、その処理の完了の後、ステップＳ４１２において現在の撮影モードが自分撮りモードであるか否かを判断する。
【００７２】
ステップＳ４１２において撮影モードが自分撮りモードである場合は、ステップＳ４１１の自分撮り用焦点調整処理を実施する。ステップＳ４１１の自分撮り用自動焦点調整処理は第１の実施形態における処理（図３及び図４参照）と同様である。
【００７３】
一方、撮影モードが自分撮りモードでない場合は、ステップＳ４０１において一般的な焦点調整を行う。
【００７４】
そして、ステップＳ４０１又はＳ４１１の焦点調整処理が完了した後、ステップＳ４０２において本露光用露出調整を行い、撮影に適した露出となるように調整を行う。本露光用露出調整が完了した後には、ステップＳ４０３においてシャッタスイッチ（ＳＷ２）６４のＯＮ／ＯＦＦ状態を検知する。ここで、シャッタスイッチ（ＳＷ２）６４がＯＦＦであれば、ステップＳ４０４に移行し、シャッタスイッチ（ＳＷ１）６２の状態を検知する。そして、シャッタスイッチ（ＳＷ１）６２がＯＮであれば、所定時間待機した後（ステップＳ４１３）、ステップＳ４１１に戻り、自分撮り用焦点調整処理を実施し、この処理において、撮影画像における被写体の偏りを検出し、その結果を撮影者に通知する。
【００７５】
その後、再度ステップＳ４０３においてシャッタスイッチ（ＳＷ２）６４の状態を検知し、シャッタスイッチ（ＳＷ２）６４がＯＮとなるまでこれらの処理を繰り返す。また、ステップＳ４０４において、シャッタスイッチ（ＳＷ１）６２がＯＦＦであれば、撮影処理を終了する。
【００７６】
そして、ステップＳ４０３においてシャッタスイッチ（ＳＷ２）６４がＯＮとなっていることを検出すると、ステップＳ４０５において撮像素子１４への露光を行う。ステップＳ４０６では、撮像素子１４に蓄積されたデータを読み出す。ステップＳ４０７では、撮像素子１４から読み出したアナログ信号をＡ／Ｄ変換器１６を使ってディジタル信号に変換する。ステップＳ４０８では、画像処理回路２０を使って各種画像処理を行う。ステップＳ４０９では、ステップＳ４０８で処理した画像をＪＰＥＧ等のフォーマットに従って圧縮する。ステップＳ４１０では、ステップＳ４０９で圧縮したデータを、記録媒体インタフェース９０を介して撮像装置１００に装着されたメモリカード等の記録媒体２００へ転送する。
【００７７】
このような本発明の第２の実施形態に係る撮像装置によれば、主被写体の撮影画角内での偏り検出及び撮影者への通知動作を、撮影準備動作が継続している限り定期的に実行することができる。これにより、直接ファインダを覗くことができず、自分撮りミラーに映った像を頼りに撮影する場合であっても、撮影時の構造が適切であるか否かを容易に確認できるため、撮影者の意思に反して不適切な構図の画像が撮影されてしまうことを未然に防ぐことが可能である。
【００７８】
なお、第１及び第２の実施形態では、測距の方式としてＴＴＬコントラスト検出方式を採用しているが、本発明はこれに限定されるものではなく、撮影画像における複数のポイントの被写体距離が計測できればよい。従って、例えば、ＡＦエリアセンサを用いた外測パッシブ方式等の多点測距方式を採用することも可能である。
【００７９】
また、第１及び第２の実施形態では、測距点を５×５個とし、主被写体の位置を特定するための検出パターンを図６に示した４パターンとしているが、本発明はこれらの態様に限定されるものではなく、例えば、測距点を増やし、被写体の位置を特定するための検出パターンを充実させ、判定精度を向上させることも可能である。更に、検出パターンを撮像装置の姿勢に応じて切り替えるようにしてもよい。
【００８０】
また、第１及び第２の実施形態では、撮影者への通知の際にＡＦ補助光を用いているが、本発明はこれに限定されるものではない。他の通知方法として、たとえば、被写体の位置に応じて、ＡＦ合焦音などの警告音を任意のパターンで繰り返すことによって通知する方法や、予め用意された注意を促す人間の音声を再生する方法を採用してもよい。また、携帯電話のようにバイブレーション機能を有するような撮像装置では、振動のパターンによる通知方法を採用してもよい。
【００８１】
なお、本発明の実施形態は、例えばコンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムも本発明の実施形態として適用することができる。上記のプログラム、記録媒体、伝送媒体及びプログラムプロダクトは、本発明の範疇に含まれる。
【図面の簡単な説明】
【００８２】
【図１】本発明の第１の実施形態に係る撮像装置の構成を示すブロック図である。
【図２】第１の実施形態に係る撮像装置の基本的な動作を示すフローチャートである。
【図３】第１の実施形態に係る撮像装置の自分撮り用焦点調整処理の動作を示すフローチャートである。
【図４】第１の実施形態に係る撮像装置の被写体位置判定処理の動作を示すフローチャートである。
【図５】第１の実施形態に係る撮像装置の測距点及び測距範囲を示す説明図である。
【図６】第１の実施形態に係る撮像装置の測距点判定パターンを示す説明図である。
【図７】第１の実施形態に係る撮像装置の撮影者へのＡＦ補助光による通知パターン（発光タイミング）を示すタイミングチャートである。
【図８】本発明の第２の実施形態に係る撮像装置の基本的な動作を示すフローチャートである。
【符号の説明】
【００８３】
１０ａ：フォーカスレンズ
４２：フォーカスレンズ駆動部
２０：画像処理回路
５０：システム制御回路
５２：メモリ
【図１】
2006184789.tif 000003
【図２】
2006184789.tif 000004
【図３】
2006184789.tif 000005
【図４】
2006184789.tif 000006
【図５】
2006184789.tif 000007
【図６】
2006184789.tif 000008
【図７】
2006184789.tif 000009
【図８】
2006184789.tif 000010